(57)【要約】     【課題】道糸の操作のみで、撒き餌籠本体の蓋体を開閉させ、また、海中での撒き餌の保持と撒布まで一貫して行う事を可能にした撒き餌籠を提供する。【解決手段】上端部に開口部１２を有し、内部に撒き餌が収容される撒き餌籠本体１と、その開口部１２の上部の内周面に、籠吊り孔６、６−１と、籠軸受７、７−１と、重錘１１と、開口部１２を開閉するための蓋体２と、を設けて、撒き餌籠本体１に収容する。その蓋体２は、蓋軸受５と撒き餌籠本体１の籠軸受７、７−１と、を軸部材８により連結し、撒き餌籠本体１に組込む。その蓋体２は、片側に重心を変位させて、垂直姿勢を維持自立し、内周面に沿って自在に回転できる構造にしている。蓋体を開閉するために、蓋体２の蓋開閉支持孔４と撒き餌籠本体１の籠吊り孔６、６−１と、を籠糸９で通し、係合して道糸１０で係止する。    【選択図】  図１
2012095541.tif 000002
【特許請求の範囲】
【請求項１】
上端部に開口部を有し、内部に撒き餌が収容される撒き餌籠本体と、
前記開口部の上部の内周面に、撒き餌籠本体を吊り上げることと蓋体の開閉に係わる籠吊り孔と、
前記開口部を開閉するための蓋体と、
を前記撒き餌籠本体の開口部の上部に具備しており、
前記蓋体は、片側に重心を変位させ、垂直姿勢を維持自立する構造と、
前記開口部の上部の内周面に沿って、軸部材により自在に回転する構造と、
該蓋体の開閉に係わる籠糸が通る蓋開閉支持孔と、
を具備一体化した構造で構成されており、前記開口部を開閉するために、前記蓋体の蓋開閉支持孔と、前記撒き餌籠本体の籠吊り孔と、を籠糸で通し、係合して道糸に係止することを特徴とする撒き餌籠。                                          
【発明の詳細な説明】
【技術分野】
【０００１】
本発明は，魚釣り用の撒き餌を海中に撒布するために用いる撒き餌籠に関し、特に海中での撒き餌の保持および撒布を一貫して道糸の操作で行うことが出来る撒き餌籠に関する。
【背景技術】
【０００２】
従来の撒き餌籠は、釣りを行う時に魚を集める一つ方法であり、海中に沈めた仕掛けで魚を釣り易くするもので、そのことにより撒き餌を収容した容器を海中に沈降させ、所望の棚に仕掛けと共に沈めて撒布する容器が撒き餌籠である。最近の撒き餌籠では、海中で沈降する途中に、撒き餌が無駄に散逸しない様に工夫され、蓋付の撒き餌籠が主流である。例えば、実公開平６−５４７３公報で開示された撒き餌籠は、収納容器の上部の開口に蓋板を取り付け、その容器と蓋板を貫通する作動軸の周面に、蓋板の軸挿通孔より大きい突起を設け、該容器を蓋板で閉じた状態で海中に投入した後、作動軸に衝撃を与え、突起と蓋板を衝合させて蓋板を開放する撒き餌籠である。
【０００３】
また、実願平９−６４２６公報では、金属又は合成樹脂からなる網目状の収餌筒の上部に開口部を設けると共に、底部に重錘を取り付け、上記開口部の端縁に、外方へ湾曲状の吊下環を設けて、そこに蓋体を挿通して開口部を開閉可能にし、この蓋体に餌出孔を設けた撒き餌籠である。          
【先行技術文献】
【特許文献】
【０００４】
【特許文献１】実公開平６−５４７３公報
【特許文献２】実願平９−６４２６公報
【発明の概要】
【発明が解決しようとする課題】
【０００５】
前記撒き餌籠では、撒き餌を海中で一度に放出される構造であるため、その時点では    集魚効果は大きいが持続性に欠き、集魚効率は低下する。（実公開平６−５４７３文    献）
また海中で撒き餌籠を沈降させる際に、蓋孔の口径によっては沈降途中で撒き餌が放出され、また、目詰まりが起こることが予想される。このために、所望する棚まで撒き餌を確実に保持収容し、持続して撒布することが容易ではない。（実願平９−６４２６文献）
本発明は、このような構造を有している問題を解決するものであり、その目的は収
容された撒き餌を無駄に散逸することなく、所望の棚まで沈降させ、適応量の撒き餌を撒布する撒き餌籠を提供するものである。
【課題を解決するための手段】
【０００６】
本発明の撒き餌籠は、上端部に開口部を有し、その内部に撒き餌を収容する撒き餌籠本体と、この開口部を開閉するために設けた蓋体と、その開口部の上部の内周面に、撒き餌籠本体を吊り上げることと蓋体の開閉に係わる籠吊り孔と、前記蓋体を組込むための籠軸受と、前記撒き餌籠本体の底部に、海中での撒き餌籠本体の沈降促進と安定を図るための重錘と、を前記撒き餌籠本体に具備収容されており、前記蓋体には、この蓋体の片側に重心を変位させて垂直姿勢を維持自立するための重錘と、反片側に軽量化と水中による圧力を緩和するための小孔と、その表側の中心部に、蓋体の開閉に係わる蓋開閉支持孔と、その裏側の中心部に蓋体を支持する蓋軸受と、を具備一体化した構造により構成されている。その蓋体は、蓋軸受と、撒き餌籠本体の籠軸受と、を軸部材によって連結されて組込まれており、その蓋体は、開口部の内周面に沿って自在に回転し、垂直姿勢を維持自立する構造にしている。前記開口部を道糸で開閉するために、前記籠吊り孔と、前記蓋開閉支持孔と、を籠糸で通し、係合して道糸で係止することにより上記目的が解決される。
【発明の効果】
【０００７】
このように、本発明による撒き餌籠は、一貫した道糸の操作により、海中での撒き餌の保持と撒布および撒布量の調節を可能にし、さらに、撒き餌収容時の手返しも早い。製作時は、部品点数が少なく、安価で製作可能であり、また取り扱いも容易である。
【図面の簡単な説明】
【０００８】
【図１】本件発明の撒き餌かごの概略図
【図２】本発明の蓋体の概略図
【図３】本発明の蓋体の開放形態を示す断面図
【図４】本発明の蓋体の閉止形態を示す断面図
【図５】本発明の別案による蓋体の概略図
【発明を実施するための形態】
【０００９】
以下、本発明の実施の形態を図１に基づいて概略を説明する。
【００１０】
本発明の撒き餌籠は、図１に示すように、開放された開口部（１２）の上端部は、撒き餌の挿入口と放出口を兼ねている。撒き餌籠本体（１）は、網目円筒状（１４）で形成され、その部材は樹脂や金属など、弾力のある適応素材を使用している。
【００１１】
以下、本発明の撒き餌籠の構造と作用を部分的に、図１〜図４基づき説明をする。
【００１２】
撒き餌籠本体１の籠軸受７、７−１は、蓋体２の蓋軸受５を組込む軸受で、開口部１２の上部の中心から上下対称な位置に設ける。その籠軸受７、７−１は、不貫通孔７と、貫通孔７−１と、を有し、軸部材８は、貫通孔７−１より通り、蓋体２の蓋軸受５と連結した後、貫通孔７−１は、止め部材にて遮蔽される。そのことにより、籠糸９の弛緩時に起こる係合のトラブルを防止する。
【００１３】
撒き餌籠本体１の籠吊り孔６，６−１は、撒き餌籠本体１を吊り上げることと、蓋体２の開閉に係わる孔である。その籠吊り孔６、６−１は、開口部１２の上部の中心から左右対称の位置に貫通孔を設けている。
【００１４】
撒き餌籠本体１の蓋体２は、片側に重錘３と、反片側に小孔１５と、蓋開閉支持孔４と、  蓋軸受５と、を具備一体化した構造から成り、この蓋体２は、開口部１２の上部の内周面に沿って自在に回転する構造にしており、また、重錘３を下に垂直姿勢を維持自立する構造である。
【００１５】
蓋体２の重錘３は、片側に重心を変位させるための部材で、蓋体２の開閉の促進と、撒き餌の挿入と放出を容易にするもので、その蓋体２の垂直姿勢を維持自立する重さの重錘を具備している（図１、ハッチング部）。この重錘３は、蓋体２の片側に有し、蓋体２に嵌合し固定されており、部材は、比重の大きい金属の鉛など使用している。
【００１６】
撒き餌籠本体１の底部に設けている重錘11は、海中での撒き餌籠本体１の沈降促進と安定姿勢を維持する部材であり、比重の大きい鉛など、適応素材を使用している。
【００１７】
蓋体２に具備された蓋開閉支持孔４は、表側の中心部に突起状の貫通孔を有する構造物であり、撒き餌籠本体１の籠吊り孔６、６−１と同一方向に孔が向いて、同一直線上に並んでいる。この蓋開閉支持孔４は、蓋体２を開閉する係合部である。
【００１８】
蓋体２の裏側に位置する蓋軸受５は、蓋体２の中心から縦方向に両端まで孔が通る貫通孔であり、撒き餌籠本体１の籠軸受７、７−１と軸部材８により連結される。
【００１９】
軸部材８は、蓋体２と、撒き餌籠本体１と、を連結する部材であり、蓋体２を円滑に回転させるために、棒状の金属や樹脂など、の不撓性の適応素材を使用する。
【００２０】
蓋体２の片側に貫通孔を有する小孔１５は、アミ類などが流出しない程度のピン孔であり、海中での撒き餌籠本体１の上昇時や下降時など、蓋体２が受ける水圧の抵抗を緩和し、蓋体２の軽量化を図ることで蓋体２の開閉を容易にする。
【００２１】
籠糸９は、撒き餌籠本体１の籠吊り孔６，６−１と、蓋体２の蓋開閉支持孔４と、を一本で通し、係合して道糸１０に係止される。また、道糸１０の操作により、籠糸９は緊張と弛緩を繰り返すため、摩擦に強く、切れにくいナイロンやカーボン系の適応素材を使用する。
【００２２】
以下、撒き餌と道糸に関する説明をする。
【００２３】
撒き餌籠本体１の開口部１２に収容された撒き餌は、蓋体２が垂直の状態を維持した場合に、最も多く撒き餌が放出される。そのために蓋体２が自在に回転し、垂直姿勢を維持自立するには，蓋体２の下端部より下で撒き餌の挿入をしなければならない。また、開口部１２は、蓋体２の垂直により半分に仕切られており（図１）、撒き餌のサイズは制限されるが、小さなアミ類などは、均一に振り分けられて海中に放出される利点がある。また、道糸１０の操作により撒き餌放出時は、海水が撒き餌籠本体１の網目１４より開口部１２内に浸入し、周囲の海水の圧力も加わり、押し上げられて撒き餌が開口部１２より放出される。そのことにより、撒き餌を挿入する際は、撒き餌を押し込まず、余裕のある撒き餌の挿入が望ましい。また、道糸１０の操作により、撒き餌籠本体１の上げ下げの幅と、開閉頻度における微作動や強弱を加えることにより、撒布量の調節が可能になる。
【００２４】
以下、本発明の撒き餌籠の使用と作用形態を図３、図４にて示し説明する。
【００２５】
撒き餌籠本体１の蓋体２に係わる籠糸９は、弛緩した状態と負荷のない状態では、開口部１２は開放されている（図３）。そのことにより、撒き餌の挿入が容易である。また、実釣時において、撒き餌を収容した撒き餌籠本体１の開口部１２を閉止するために、道糸１０を上方に牽引し、その撒き餌籠本体１を空間に移動させる。そのことにより撒き餌籠本体１は自重により下方に下がり、その蓋体２に係わる道糸１０と籠糸９と、に引張り荷重が加わる。そのことで、籠糸９は緊張して、籠吊り孔６、６−１と、蓋開閉支持孔４と、に係わる籠糸９は、垂直姿勢を維持自立している蓋体２の先端部を押さえる(図３)。そのことにより、蓋体２は回転して開口部１２の上部で水平になり（図４）開口部１２は閉止される。その状態で撒き餌籠本体１を海面まで移動し、海中に沈降させ、その撒き餌籠本体１を所望する位置まで移動させると、同時に寸止し、道糸１０により撒き餌籠本体１を上昇させ、また、下降させる。そのことにより、蓋体２に係わる籠糸９が連動し、蓋体２は、開口部１２を閉止させ、また、弛緩して開口部１２は開放される。
【００２６】
以下、本実施形態の蓋体２に関し、別の対応例を図５、にて示し説明する。
【００２７】
なお符号については一部を除き、全て、本実施形態の符号を使用している。
【００２８】
前記別の対応例の蓋体１６における形態は、本蓋体２の蓋軸受５と、蓋開閉支持孔４と、本撒き餌籠本体１の籠軸受７，７−１と、を片側に移動したものである。
【００２９】
前記蓋体１６に具備する蓋軸受１７は、撒き餌籠本体１の籠軸受１９，１９−１に軸部材８により組込まれ、開口部１２、上部の籠吊り孔６−１側に設けられており、その蓋体１６は、開口部１２の内周面沿って上下に開閉し、垂直姿勢で自立する構造である。
【００３０】
また、蓋体１６に具備された前記蓋開閉支持孔１８は、表側に、突起状の貫通孔を有する構造物であり、その蓋開閉支持孔１８は、撒き餌籠本体１の籠吊り孔６、６−１と同一方向に孔が向いて、同一直線上の重錘３側に位置し、蓋体１６を開閉する係合部である。
【００３１】
また、撒き餌放出時の開口部１２は、蓋体１６の蓋軸受１７が片側に移動しているため、籠吊り孔６側の口の広い方からスムースに放出される。また、前記蓋体１６の重錘３側においては、蓋軸受１７の移動により、重錘３と自重も加わり、蓋体の開閉が円滑に行なわれ、撒き餌が多く放出される。
【００３２】
上述の通り、本蓋体２と蓋体１６と、は双方に利点を有しており、故に、別の一実施例を提供するものである。
【００３３】
また、前記蓋体１６の重心の変位に関し、勾配やテーパなど、角度を有する単体構造の金属素材を用いることで、重心を変位させるための部材は不要になる。
【符号の説明】
【００３４】
１      撒き餌籠本体          
２      蓋体      
３      重錘（蓋体）                      
４      蓋開閉支持孔（貫通孔）        
５      蓋軸受（貫通孔）
６      籠吊り孔（貫通孔）
６−１  籠吊り孔（貫通孔）
７      籠軸受（不貫通孔）
７−１  籠軸受（貫通孔）                              
８      軸部材                
９      籠糸
１０    道糸
１１    重錘                        
１２    開口部（撒き餌挿入口および放出口）  
１３    ヨリモドシ                                  
１４    網目
１５    小孔
１６    蓋体
１７    蓋軸受（貫通孔）
１８    蓋開閉支持孔(貫通孔)
１９    籠軸受（不貫通孔）
１９−１籠軸受（貫通孔）
【図１】
2012095541.tif 000003
【図２】
2012095541.tif 000004
【図３】
2012095541.tif 000005
【図４】
2012095541.tif 000006
【図５】
2012095541.tif 000007